(57)【特許請求の範囲】
【請求項１】
両端部に結合部を有する頭部と、該頭部より小さい胴部と、よりなる護岸ブロックを複数個並設し、曲面カーブに護岸を形成していく方法であって、第１の護岸ブロックの頭部端部の弧状凹部と第２の護岸ブロックの頭部端部の弧状凸部とを互いに装着することにより両護岸ブロックを傾斜させて並設し、同様な繰り返しにより連続した護岸を形成していき、その後、隣接する護岸ブロックの間に形成された空所に充填物を埋める護岸形成方法において、
前記頭部端部の弧状凹部の曲率半径を弧状凸部の曲率半径より大きくし、弧状凹部と弧状凸部との相互間に動きの自由度を付与したことを特徴とする護岸形成方法。
【請求項２】
頭部端部の弧状凹部の曲率半径と頭部端部の弧状凸部の曲率半径との差を５ｍｍ以上としたことを特徴とする、請求項１記載の護岸形成方法。
【請求項３】
護岸ブロックの胴部を細幅部と広幅部とを有する胴部とし、並設した場合の両護岸ブロック間の空所を大きく形成したことを特徴とする、請求項１記載の護岸形成方法。
【請求項４】
護岸ブロックの胴部に複数の貫通孔が穿孔されていることを特徴とする、請求項３記載の護岸形成方法。
【請求項５】
護岸ブロックの胴部の端に切り欠き部が形成されていることを特徴とする、請求項３記載の護岸形成方法。
【請求項６】
護岸ブロックの頭部に区画壁体が形成されていることを特徴とする、請求項３記載の護岸形成方法。
【請求項７】
護岸ブロックを数段に敷設していき一定幅領域の護岸を形成することを特徴とする、請求項１記載の護岸形成方法。
【請求項８】
複数段に敷設する際に、第１段目の護岸ブロックの脚部を第２段目の護岸ブロックの頭部に少なくとも一部接触させ、以下同様に後続段を敷設していくことを特徴とする、請求項７記載の護岸形成方法。
【請求項９】
充填物が植生用の土砂であることを特徴とする、請求項１〜８のいずれか１の項記載の護岸形成方法。
【発明の詳細な説明】
【０００１】
【発明の属する技術分野】
本発明は、護岸の形成方法に関し、更に詳しくは、植物を育成させて自然性を付与することのできる護岸形成方法に関するものである。
【０００２】
【従来の技術】
従来から海岸や河川等の斜面の崩壊を防止するため護岸（擁壁）を形成する場合、土留用ブロックを連続的に間断なく並設していく方法が採用されている。
この方法は、土留用ブロックが、通常、コンクリート製であることから、擁壁の表面であるコンクリートが露出した状態に施工される欠点がある。
ところが、コンクリート面は、無機質で人造的な印象を与えるため、周りの環境に比べて著しく違和感を生ずる。
【０００３】
例えば河川の護岸では、道路沿いに対岸の護岸を見下ろすと、コンクリート面が大きく剥きだして露出して見え自然美が損なわれた状態となっている。
従って、護岸だけが周りの景観から突出して違和感が生じないように、環境に溶け込んだ自然らしさ（自然性）を与えることが必要となってくる。
このような問題点を解決するために、例えば特開平１１−８１２７５号に開示されているような、河川保護ブロックを使った土手面の保護方法が開発されている。
【０００４】
この河川保護方法は、凹凸の組み合わせ縁を備えた底板と該底板の周縁に所定高さで立設された壁板とを一体に備えた２種類の河川保護ブロックを使って、護岸の施工を行うものである。
すなわち、河川保護ブロックの組み合わせ縁を嵌合するようにして多数敷設して土手面を形成し、壁板間の凹所に土砂等を埋め戻す方法である。
そのため、この土砂等の埋められた壁板間の凹所が植物等の育成場所を提供することになる。
【０００５】
ところで、このような河川保護ブロックを使った従来例では、一定のカーブを描くような護岸を形成することは不可能である。
また、護岸（擁壁）を形成する場合、２種類の河川保護ブロックを間隙なく密着させて多数を並設していくものであるため、正確さが重要となる。
また、ブロックを並設していく際に、該ブロック間で嵌め込む際に調整の自由度がない。
そのため手間に加えて熟練が必要となり、作業時間も多くならざるを得ない。
そして、例えば、地震等による振動や揺れが生じた場合、その振動や揺れにより密着するブロック間で衝突が起き、ブロックにヒビ割れや欠損等が生じることがある。
【０００６】
【発明が解決しようとする課題】
本発明は、これらの技術的背景を基になされたもので、本発明の目的は、効率良くブロックを並設し護岸を形成することができる護岸形成方法を提供することである。
更なる目的は、植物類等を育成することができる護岸形成方法を提供することである。
更なる目的は、地震等の振動や揺れによっても、ひび割れや欠損の生じない護岸形成方法を提供することである。
【０００７】
【課題を解決するための手段】
しかして、本発明者らは、上記の課題を解決するために鋭意研究を重ねた結果、少なくともブロックの相互の結合部の形状に工夫を加えることにより、従来の問題点を解決できることを見出し、この知見により本発明を完成させたものである。
【０００８】
即ち、本発明は、（１）、両端部に結合部を有する頭部と、該頭部より小さい胴部と、よりなる護岸ブロックを複数個並設し、曲面カーブに護岸を形成していく方法であって、第１の護岸ブロックの頭部端部の弧状凹部と第２の護岸ブロックの頭部端部の弧状凸部とを互いに装着することにより両護岸ブロックを傾斜させて並設し、同様な繰り返しにより連続した護岸を形成していき、その後、隣接する護岸ブロックの間に形成された空所に充填物を埋める護岸形成方法において、  前記頭部端部の弧状凹部の曲率半径を弧状凸部の曲率半径より大きくし、弧状凹部と弧状凸部との相互間に動きの自由度を付与した護岸形成方法に存する。
【０００９】
そして、（２）、頭部端部の弧状凹部の曲率半径と頭部端部の弧状凸部の曲率半径との差を５ｍｍ以上とした上記（１）記載の護岸形成方法ブロックに存する。
【００１０】
そしてまた、（３）、護岸ブロックの胴部を細幅部と広幅部とを有する胴部とし、並設した場合の両護岸ブロック間の空所を大きく形成した上記（１）記載の護岸形成方法に存する。
【００１１】
そしてまた、（４）、護岸ブロックの胴部に複数の貫通孔が穿孔されている上記（３）記載の護岸形成方法に存する。
【００１２】
そしてまた、（５）、護岸ブロックの胴部の端に切り欠き部が形成されている上記（３）記載の護岸形成方法に存する。
【００１３】
そしてまた、（６）、護岸ブロックの頭部に区画壁体が形成されている上記（３）記載の護岸形成方法に存する。
【００１４】
そしてまた、（７）、護岸ブロックを数段に敷設していき一定幅領域の護岸を形成する上記（１）記載の護岸形成方法に存する。
【００１５】
そしてまた、（８）、複数段に敷設する際に、第１段目の護岸ブロックの脚部を第２段目の護岸ブロックの頭部に少なくとも一部接触させ、以下同様に後続段を敷設していく上記（７）の護岸形成方法に存する。
【００１６】
そしてまた、（９）、充填物が植生用の土砂である上記（１）〜（８）のいずれか１の護岸形成方法に存する。
【００１７】
本発明の目的に沿ったものであれば上記１〜９の中から選ばれた２つ以上を組み合わせた構成も採用可能である。
【００１８】
【発明の実施の形態】
以下、図面に基づいて本発明である河岸や海岸等に護岸を形成する方法を述べる（なお、以下に述べる基礎斜面５とは河川や海岸等に斜面状に基礎を築いたものをいう）。
まず、本発明の護岸（法面）形成方法に使用する護岸ブロック１の例について言及しておく（図１参照）。
【００１９】
この護岸ブロック１は、両端部に結合部を有する略厚板状の頭部２と、該頭部２より小さい胴部３とよりなり、主にコンクリートで形成されるブロック体である。
護岸ブロック１の頭部２に設けられた結合部は、一方の端部が弧状凸部２１に、他方の端部が弧状凹部２２に形成されている。
しかも、その弧状凹部２２の曲率半径が弧状凸部２１の曲率半径よりも大きく設定されている。
【００２０】
従って、後述するように、護岸を形成施工していく際は、護岸ブロックの弧状凸部２１と他の護岸ブロックの弧状凹部２２とを互いに装着することで次々に護岸ブロックは並設状に施工されていくが、頭部２に対し、このような弧状凹部２２と弧状凸部２１の構造を採用することにより、装着時、護岸ブロック間には相互の動きに自由度が与えられることになる。
このため、並設作業が極めて容易であり且つ効率的である。
弧状凹部２２と弧状凸部２１との装着性の観点から、弧状凹部２２の曲率半径Ｒ１と弧状凸部２１の曲率半径Ｒ２との差は５ｍｍ以上に設定されることが好ましい。
【００２１】
ここで、護岸ブロックの寸法は、適宜選択できるものであるが、使用例をあげると、頭部の弧状凹部２２の曲率半径Ｒ１は１７５ｍｍ、その弧状凸２１の曲率半径Ｒ２は１７０ｍｍ、また頭部の幅Ｗ１は１９７８ｍｍ，その高さＨ１は７００ｍｍ，その厚みＬ１は３５０ｍｍ、胴部の幅Ｗ２は１３７０ｍｍ，その高さＨ２は７００ｍｍ、そして護岸ブロックの長さＬは１２４０ｍｍとなる（図１３を参照）。
【００２２】
また、ここでの護岸の表壁面となる頭部２には、緩やかに湾出した突出部２３が形成されており、この突出部２３は、後述するように、護岸ブロックを一定の曲率半径で形成施工する際に、護岸（擁壁）を緩やかな連続した曲面カーブに見せるためにより好ましい。
因みに、後述するように、護岸形成後は護岸ブロック１の頭部２の突出部表面が外部に露出するため、前もって、この突出部２３の表面に装飾用の模様を形成しておくことや、登攀性植物（蔓性植物等）を繁殖させるための登攀・下垂時の根の吸着を扶ける目地溝を形成しておくことが好ましい。
（胴部）
【００２３】
一方、護岸ブロックの胴部３は、頭部２より支柱状に立設されており、また該頭部２より容積が小さい形状となっている。
そして、更に胴部３は、頭部２に直接続く細幅部３Ａと該細幅部３Ａより幅が広い広幅部３Ｂとよりなる。
そのため、これも後述するように、護岸ブロックを並設した際、両護岸ブロックの細幅部３Ａにより空所Ｓが大きく形成されることになる。
胴部３の高さは頭部２のそれより小さいため胴部の上面３２と頭部の上面２４とは段差を生じている。
護岸ブロックの下面、すなわち頭部２の一部下面及び胴部３の下面３１は傾斜面となっており、これは、護岸ブロックを基礎斜面５に合わせて施工していくためである。
以上が護岸ブロック１の構造の説明である。
【００２４】
このような護岸ブロックを使用して護岸を形成施工する方法を、以下に詳しく述べる。
図２は２つの護岸ブロックについて並設した状態を示す斜視図である。
図のように、第１の護岸ブロック１Ａと第２の護岸ブロック１Ｂとを並設する場合、第１の護岸ブロック１Ａの頭部端部に設けられた弧状凹部２２と第２の護岸ブロック１Ｂの頭部端部に設けられた弧状凸部２１とを嵌め込むことで相互に装着する。
この場合、先にも述べたように、弧状凹部２２の曲率半径は弧状の凸部２１の曲率半径よりも大きく形成されているため、両者間を嵌め込む際に、相互に動きの自由度が十分あるため、位置決め調整が極めて容易である。
しかも、弧状凸部２１と弧状凹部２２とは、一か所で（又は一点で）接する（接触する）ために、第１の護岸ブロック１Ａと第２の護岸ブロック１Ｂとはそこで支持され、位置決めも確実になる。
【００２５】
次に、第２の護岸ブロック１Ｂの弧状凹部２２に、第３の護岸ブロックの頭部端部に設けられた弧状凸部を嵌め込む（図２点鎖線参照）。
以下同様にして、水平に連続した護岸を形成していくのである。
最後に、隣接する護岸ブロックの間に形成された空所に充填物である土砂（例えば、植生用の土砂）を埋めることで護岸（単段）は完成する。
ここで護岸ブロックにより、水平に連続した護岸を形成していく場合、その護岸のカーブを変えて施工することが容易である。
【００２６】
図３と図４は、曲面カーブの異なった護岸を施工する例を２つの護岸ブロック（第１の護岸ブロック１Ａ、第２の護岸ブロック１Ｂ）との関係で説明したものである。
図３は、図４より護岸の曲面カーブが大きく（θ１＜θ２）、すなわち曲面カーブの曲率半径が小さいので、護岸ブロックの胴部間の間隔（Ｌ１＜Ｌ２）は狭くなっている。
【００２７】
図５は、第１の護岸ブロック１Ａと第２の護岸ブロック１Ｂとを直線状（θ１＝１８０度）に並設した状態を示したものである（Ｌ１＜Ｌ２＜Ｌ３）。
図６は、図３及び図４の場合とは異なり、護岸の曲面カーブを逆にした場合（１８０度＜θ４）で、護岸ブロック間の離間距離は、最大に広く形成される（Ｌ１＜Ｌ２＜Ｌ３＜Ｌ４）。
このように、本発明においては、護岸の曲面カーブを自由に変えて形成施工できるが、その際、各護岸ブロックの端部の凹凸間に動きの自由度があるため、両者を嵌め込み装着するのに極めて調整が容易である。
【００２８】
なお、図３〜図６において、各護岸ブロック間の空所はＳ１＜Ｓ２＜Ｓ３＜Ｓ４の関係となる。
ところで、一定の曲面カーブ又は直線状に形成施工された護岸は、傾斜した基礎斜面５に複数段に敷設されることで、勾配のある一定の幅領域（すなわち一定の奥行き）の護岸が形成されていくことになる。
【００２９】
図７は、一定の奥行きのある複数段の護岸を形成した状態を示した平面図である。
また、図８は、図７におけるＡ−Ａ断面を示した図である。
このように複数段に護岸を敷設するためには、一定の勾配を持つ基礎斜面５の上に、第１段、第２段、更に第３段と単段を積み上げて護岸を形成することになる。
その敷設に際しては、第１段目に施工された護岸である護岸ブロック（１Ａ，１Ｂ，１Ｃ・・）の胴部下端を第２段目に施工すべき護岸である護岸ブロック（１Ａ’，１Ｂ’，１Ｃ’・・）の頭部の平面部２Ａ（頂面）に当接させる。
この状態では胴部３の下端が頭部２の突出部２３の下に嵌まり込んだ状態となる。
【００３０】
そして、前方から見た場合、第１段目と第２段目の頭部の突出部表面が見えることになる。
ところで、水平方向に並設施工していくと、第１段目の護岸である護岸ブロック（１Ａ，１Ｂ，１Ｃ・・）と第２段目の護岸である護岸ブロック（１Ａ’，１Ｂ’，１Ｃ’・・）とは徐々に位相がずれていくが問題はない。
位相がずれても、第１段目の護岸である護岸ブロック（１Ａ，１Ｂ，１Ｃ・・）の胴部下端は、第２段目の護岸である護岸ブロック（１Ａ’，１Ｂ’，１Ｃ’・・）の頭部の平面部２Ａに、少なくとも一部で（一か所で）必ず接触することにより、両段目の護岸ブロックの位置決め固定は確実となる。
【００３１】
次に、第２段目の護岸である護岸ブロック（１Ａ’，１Ｂ’，１Ｃ’・・）の胴部下端を第３段目に施工すべき護岸である護岸ブロック（１Ａ’’，１Ｂ’’，１Ｃ’’・・）の頭部の平面部２Ａに当接させる。
このように、順次、複数段の護岸ブロックを積み上げ敷設することにより、奥行きのある一定の幅領域の護岸が完成するのである。
【００３２】
最後に、各護岸ブロック間に形成された空所Ｓや護岸ブロックの胴部３を覆い隠すように充填物である土砂（例えば、植生用の土砂）４を埋める（充填する）。
本発明においては、頭部２より胴部３が小さいので、隣接する護岸ブロックの胴部間に充填物である土砂４を埋めるための空所Ｓを形成することができる。
また更に、胴部は細幅部３Ａを有しているので、隣接する護岸ブロックの胴部間でより大きい空所Ｓを形成することができる。
したがって、護岸ブロックにより形成される護岸の曲面カーブを急にしても（曲率半径を小さくしても）、所定の大きさの空所Ｓが保証される。
【００３３】
この両護岸ブロック間の空所Ｓは、下まで通過する一定の深さと間口があるため、そこに充填物である土砂等を埋めることにより種子繁茂植物以外に主根の発達する苗繁茂植物も十分育つべき土壌の場を与えることができる。
したがって、本発明により施工された護岸は、斜め上方から見た場合、繁茂する植物が視認でき、護岸に自然性を付与できると同時に観賞用としても機能することにも意味がある。
もっとも、先述べたように、頭部２の表面に蔓植物等の登攀・下垂時の根の吸着を扶ける目地溝が形成されると頭部表面も植物の育成の場となり、護岸全体が植生化されて好ましい。
以上が護岸形成方法の全施工工程である。
【００３４】
本発明の護岸形成方法においては、空所Ｓが積極的に形成され、そこに充填物である土砂４等が充填されることにより、地震等による振動や揺れを受けた場合、その充填された土砂４がバッフアーとなり衝撃を緩和することできる。
従って、護岸ブロックにひび割れや欠けが無くなり、護岸の崩れ等が防止され耐久性に富んだ護岸となる。
しかも、施工の際は、隣接する護岸ブロック同志で部分的でも相接する箇所があるため、順次並べていく時の位置決めが確実となる。
【００３５】
ところで、護岸形成方法を遂行するに当たっては、使用する護岸ブロック１は、先ほど説明した図１以外にも他の変形例も当然可能である。
図９は他の護岸ブロック１の例を示したもので、（Ａ）は平面図、（Ｂ）は側面図である。
また、図１０は護岸ブロック１を並設した状態を示す平面図である。
【００３６】
護岸ブロック１は、図１の護岸ブロック１と同様に、両端部に結合部を有する頭部２と、該頭部２より小さい胴部３とよりなり、胴部は細幅部３Ａと広幅部３Ｂとよりなる。
また護岸ブロック１の頭部２の結合部は、一方の端部が弧状凸部２１に、他方の端部が弧状凹部２２に形成されており、その弧状凹部２２の曲率半径が弧状凸部２１の曲率半径よりも大きく設定されていることも同じである。
ただ、この護岸ブロック１は、頭部２には図１の護岸ブロックのような緩やかに湾曲した突出部２３は設けられていなく平坦となっている。
そのため、水平に直線状の護岸を形成していくのに適している。
もっとも、この護岸ブロック１においても、水平な連続した護岸を形成していく場合、その護岸の曲面カーブを変えて、すなわち曲率半径を変えて施工することも可能である。
【００３７】
図３〜図６で示した如くに、曲率を変えた場合、逆の曲率の場合、及び直線状の場合といずれも採用できる。
この護岸ブロック１も、図１１に示すごとく、一定の奥行きのある複数段の護岸を形成していくものである。
また施工手法においても、図２、図７及び図８で説明した通りである。
なお、図１２は、図１１におけるＡ−Ａ断面を示した図である。
【００３８】
次に、更なる護岸ブロック１の変形例を挙げる。
図１４〜図１７は、他の護岸ブロック１の例を示したもので、いずれも平面図で示す。
図１４は、胴部３が末広状にテーパとなって細幅部と広幅部とが連続して形成されている護岸ブロックを示す。
この護岸ブロックを並設施工することにより各護岸ブロックに広い空所が形成されて、植生用として好ましい。
【００３９】
図１５は、胴部３に複数（ここでは３つ）貫通穴３０が穿孔されている護岸ブロック１を示すもので、根の深い植物もこの貫通穴内に伸びて育つことが可能である。
図１６は、胴部３に端に切り欠き部３０Ａが形成されている護岸ブロック１を示すもので、図１５の例と同じように根の深い植物もこのこの切り欠き部内に伸びて育つことが可能である。
【００４０】
図１７は、頭部２に区画壁体２０が形成されている護岸ブロック１を示すもので、護岸ブロック１を並設した場合、区画壁体２０を境として左右が区別されるので、異なった植物を区別して植生させることができる。
図１８は、頭部２の表面が図１の場合とは逆の曲面カーブとなっている護岸ブロック１を示すもので、図６のように逆曲面カーブ（１８０度＜θ４）の護岸を形成する場合に適している。
【００４１】
以上、本発明を述べてきたが、本発明は、実施の形態にのみ限定されることなく、その目的から逸脱しない範囲で種々の変形例が可能である。
例えば、護岸ブロック間の空所や胴部を充填物である土砂で埋める作業は、護岸ブロックを一つ一つ並設する毎に、行うことも、また、複数個並設する毎に行うことも可能である。
護岸ブロックはコンクリート製であるが、強度やコストの観点において可能であればこの材料に限ることはない。
【００４２】
また、頭部と胴部の大きさの比率は、実施の形態で述べたものだけに限らず、空所Ｓをより多くしたり、護岸の曲面カーブを小さくするために、胴部の容積を少なくすることは当然行われてよい。
因みに、曲面カーブを極力小さくできることは、従来技術にはない本発明のメリットでもある。
ところで、空所や胴部を土砂以外の充填物（例えばコンクリート等）で埋めることも可能である。
また、充填後、鉄平石等を張りつけることも可能である。
一方、逆に空所や胴部を全く埋めないことも極端には可能である。
【００４３】
【発明の効果】
護岸ブロックの相互の結合部間で装着調整の際に自由度があるため、各護岸ブロックを的確に並設施工することができる。
また護岸ブロックを並設施工する際の作業が効率的で且つ容易であり、作業時間を短縮することができる。
少なくとも空所が積極的に形成されそこに充填物である土砂が充填されることにより、地震等の振動や揺れがあった場合のバッフアーの役割を果たし、護岸の崩れ等が防止される。
同様に、護岸ブロックのヒビ割れや欠けが回避でき護岸の耐久性が向上する。
また各護岸ブロック間に形成された空所Ｓや護岸ブロックの胴部３を覆い隠すように充填物である土砂を埋めることにより、植物の育成の場となる。
【図面の簡単な説明】
【図１】図１は、第１の実施の形態における護岸ブロックを示し（Ａ）は平面図、（Ｂ）は側面図である。
【図２】図２は、第１の実施の形態における２つの護岸ブロックを並設した状態を示した斜視図である。
【図３】図３は、曲面カーブの異なった護岸を施工する例を示す図である。
【図４】図４は、曲面カーブの異なった護岸を施工する例を示す図である。
【図５】図５は、第１の護岸ブロックと第２の護岸ブロックとを直線状に並設した状態を示す図である。
【図６】図６は、護岸の曲面カーブを逆にした場合を示す図である。
【図７】図７は、複数段状の護岸を形成した状態を示した平面図である。
【図８】図８は、図７におけるＡ−Ａ断面を示した図である。
【図９】図９は、他の護岸ブロックの例を示したもので、（Ａ）は平面図、（Ｂ）は側面図である。
【図１０】図１０は、護岸ブロックを並設した状態を示す平面図である。
【図１１】図１１は、複数段状に護岸を形成した状態を示した平面図である。
【図１２】図１２は、図１１におけるＡ−Ａ断面を示した図である。
【図１３】図１３は、護岸ブロックの寸法関係を示した図である。
【図１４】図１４は、胴部がテーパとなって細幅部と広幅部とが連続して形成されている護岸ブロックを示した図である。
【図１５】図１５は、胴部に複数の貫通穴が穿孔されている護岸ブロックを示した図である。
【図１６】図１６は、胴部に端に切り欠き部が形成されている護岸ブロックを示した図である。
【図１７】図１７は、頭部に区画壁体が形成されている護岸ブロックを示した図である。
【図１８】図１８は、頭部の表面が逆の曲面となっている護岸ブロックを示した図である。
【符号の説明】
１…護岸ブロック
１Ａ…第１の護岸ブロック
１Ｂ…第２の護岸ブロック
１Ｃ…第３の護岸ブロック
２…頭部
２０…区画壁体
２１…弧状凸部
２２…弧状凹部
２３…突出部
２４…上面
２Ａ…平面部
３…胴部
３Ａ…細幅部
３Ｂ…広幅部
３０…貫通穴
３０Ａ…切り欠き部
３１…下面
３２…上面
４…充填物（土砂）
５…基礎斜面（河川、海岸等）
Ｓ…空所
Ｌ…離間距離
θ…曲面カーブ（相対する護岸ブロックの角度）
【図１】
0004293398.tif 000002
【図２】
0004293398.tif 000003
【図３】
0004293398.tif 000004
【図４】
0004293398.tif 000005
【図５】
0004293398.tif 000006
【図６】
0004293398.tif 000007
【図７】
0004293398.tif 000008
【図８】
0004293398.tif 000009
【図９】
0004293398.tif 000010
【図１０】
0004293398.tif 000011
【図１１】
0004293398.tif 000012
【図１２】
0004293398.tif 000013
【図１３】
0004293398.tif 000014
【図１４】
0004293398.tif 000015
【図１５】
0004293398.tif 000016
【図１６】
0004293398.tif 000017
【図１７】
0004293398.tif 000018
【図１８】
0004293398.tif 000019